(57)【要約】【課題】  トランクの組立作業を容易にして組立作業時間を低減できるエレベーターを提供する。【解決手段】  乗りかごにトランクが並設され、トランクは、三方側板にトランク天板９およびトランク床１６が接合されて構成され、トランク天板９およびトランク床１６と三方側板は、ボルト１５ａおよび三方側板に固定される埋め込みナット１５ｃによって接合され、ボルト１５ａはトランク内から埋め込みナット１５ｃに螺合される。【選択図】図７
2015151263.tif 000002
【特許請求の範囲】
【請求項１】
乗りかごにトランクが並設され、前記トランクは、側板に天板および床が接合されて構成されるエレベーターにおいて、
前記天板または前記床と前記側板は、ボルトおよびナットによって接合され、
前記ボルトおよび前記ナットの一方は側板に固定され、他方は前記トランク内から螺合されることを特徴とするエレベーター。
【請求項２】
請求項１において、前記床はコの字形のフレームを備え、前記ボルトおよび前記ナットの前記他方は前記コの字内から螺合され、前記側板は前記フレームに接合されることを特徴とするエレベーター。
【請求項３】
請求項２において、前記側板には前記ナットが固定され、前記フレームの上面における孔に前記ボルトが挿通されることを特徴とするエレベーター。
【請求項４】
請求項１において、前記天板はリップ部を有し、前記ボルトおよび前記ナットの前記他方は前記リップ部内から螺合され、前記側板は前記リップ部に接合されることを特徴とするエレベーター。
【請求項５】
請求項４において、前記側板には前記ナットが固定され、前記リップ部の下面における孔に前記ボルトが挿通されることを特徴とするエレベーター。
【発明の詳細な説明】
【技術分野】
【０００１】
本発明は、乗りかごにトランクを備えるエレベーターに関する。
【背景技術】
【０００２】
昇降路内を昇降移動するエレベーターの乗りかごにおいて、荷物を入れるためのトランクが並設されるものが知られている（例えば、特許文献１参照）。このトランクは、乗りかご外に位置し、乗りかごの乗降口と対向するかご背面側において乗りかごと接続される。トランクには乗りかご内から開閉可能な扉が設けられ、この扉を開放して、トランク内に荷物あるいはその一部を収納する。例えば、トランク内には、救急用具やその他緊急時に使用する道具を収納したり、エレベーターで運搬する長尺物の一部を収納したりする。
【先行技術文献】
【特許文献】
【０００３】
【特許文献１】特開２０１１−１５２９９０号公報
【発明の概要】
【発明が解決しようとする課題】
【０００４】
上記のような従来のエレベーター用トランクは、乗りかご外の昇降路内において組み立てられる。このため、組立作業者は昇降路内の狭い空間内で作業を行わなければならず、また足場など作業用の設備や器具を準備しなければならない。このため、トランクの組立作業には多大な時間を要している。
【０００５】
そこで、本発明は、トランクの組立作業を容易にして組立作業時間を低減できるエレベーターを提供する。
【課題を解決するための手段】
【０００６】
本発明によるエレベーターは、乗りかごにトランクが並設され、トランクは、側板に天板および床板が接合されて構成されるものであって、天板または床と側板は、ボルトおよびナットによって接合され、ボルトおよびナットの一方は側板に固定され、他方はトランク内から螺合される。
【発明の効果】
【０００７】
本発明によれば、トランクを、乗りかごの床上あるいはトランクの床上における作業によって組立てることができるので、組立作業を容易にして組立作業時間を低減できる。
【０００８】
上記した以外の課題、構成および効果は、以下の実施形態の説明により明らかにされる。
【図面の簡単な説明】
【０００９】
【図１】本発明の一実施形態であるトランク付きエレベーターの全体構成を示す概略図である。
【図２】図１におけるトランクの全体構成を示す斜視図である。
【図３】トランクの背面側板の組み立てステップを示す。
【図４】トランクの三方側板の組み立てステップを示す。
【図５】三方側板が取り付けられるトランク床の概略図を示す。
【図６】トランク床への三方側板の取り付けステップを示す。
【図７】三方側板へのトランク天板取付けステップを示す。
【発明を実施するための形態】
【００１０】
以下、本発明の実施形態について、図面を用いて説明する。
【００１１】
図１は、本発明の一実施形態であるトランク付きエレベーターの全体構成を示す概略図である。なお、本図において、乗りかご部は、概略的な斜視図で示している。
【００１２】
図１に示すように、本実施形態のエレベーターにおいては、乗りかご２と、荷物を収納するためのトランク７とが並設される。トランク７は、乗りかご２の外側に配置されるとともに、乗りかご２の奥行き方向でかごドア（図示せず）とは反対側である乗りかご背面側において、乗りかご２と接続される。
【００１３】
トランク２には、乗りかご２との接続部において、乗りかご２の内部から開閉可能な左右一対の扉、すなわち図中の左扉１１ａおよび右扉１１ｂが設けられる。ここで、「左」および「右」は、それぞれ、乗りかご２内からトランク７を見た場合における「左側」および「右側」である。なお、本実施形態において、左扉１１ａおよび右扉１１ｂは、両開き戸式の扉である。左扉１１ａおよび右扉１１ｂの一方または両方を開いて、トランク内に荷物あるいはその一部を収納したり、トランク内に収納されている荷物などの物品を取り出したりする。また、左扉１１ａおよび右扉１１ｂには、これらの扉が閉じた状態において、錠１８がかけられる。錠１８が解錠されなければ、左扉１１ａおよび右扉１１ｂの閉状態が保持される。
【００１４】
図１に示すように、昇降路（図示せず）内において、乗りかご２と釣り合い錘３とが、主ロープ６によって、つるべ式に吊られる。主ロープ６は、昇降路内あるいは機械室（図示せず）に配置される巻上機のシーブ４および転向プーリ５に巻き掛けられ、シーブ４が発生する回転トルクによって摩擦駆動される。これにより、乗りかご２および釣り合い錘３が、昇降路内において昇降移動する。そして、乗りかご２と共にトランク７も昇降移動する。
【００１５】
図２は、図１におけるトランク７の全体構成を示す斜視図である。本図は、錠１８が解錠されて、右扉１１ｂが開放された状態を示す。
【００１６】
図２に示すように、トランク７の上部に位置するトランク天板９と、トランク７の側面に位置するトランク側面側板８と、トランク７の背面に位置するトランク背面側板１０と、トランク床１６とが、ボルトなどにより互いに固定され、トランク７の箱体部が構成される。箱体部の開口部、すなわちトランク７の荷物挿入口には、左右一対のトランク扉となる左扉１１ａおよび右扉１１ｂが設けられる。また、トランク７は、トランク床１６の床面すなわち荷物搭載面が乗りかご２の床面と略同一平面となるように、あるいは所定の段差を付けて、乗りかご２に並設される。
【００１７】
トランク天板９はリップ状に成形された鋼板から構成され、リップ部においてトランク側面側板８と接合される。また、トランク側面側板８は、トランク床１６の床面上に設けられるフレーム１７を介して、トランク床１６と接合される。ここで、フレーム１７はコの字状であり、トランク側面側板８はフレーム１７と接合される。後述するように、これらリップ状のトランク天板９およびコの字状のフレーム１７によって、トランクの組み立て作業を乗りかご床１４の上、あるいはトランク床１６の上で行うことが可能となる。
【００１８】
左扉１１ａと右扉１１ｂは、ヒンジあるいは蝶番によって、それぞれ、左右のトランク側面側板８の縁部に回動可能に取り付けられる。これにより、乗りかご２内において、トランク扉の開閉が可能になる。また、トランク扉が閉状態における左右扉の合わせ部において、左扉１１ａの縁部には右扉１１ｂが当接する戸当たり部となる板状部材、すなわち後述する扉押さえブラケット２４が設けられる。扉押さえブラケット２４は、細長い略矩形状であり、左扉１１ａの縁部のほぼ全長に沿って設けられる。なお、本実施形態において、扉押さえブラケット２４は、左扉１１ａを形成する鋼板の一部を折り曲げることによって形成される。
【００１９】
トランク扉の閉状態において、左扉１１ａと右扉１１ｂは、乗りかご２内から見て、右扉１１ｂが表側、左扉１１ａの一部である扉押さえブラケット２４が裏側になるように互いに一部重なり合う。このとき、右扉１１ｂの縁部裏面の一部が、扉押さえブラケット２４の平面部に当接する。そのような左扉１１ａと右扉１１ｂの重なり部分において、右扉１１ｂには錠１８が設けられ、扉押さえブラケット２４における錠１８に対向する部分には、錠１８と係合する係合部１９が設けられる。錠１８が係合部１９と係合することにより、右扉１１ｂおよび左扉１１ａの閉状態が保持される。なお、係合部１９は、左扉１１ａを構成する鋼板によって、扉押さえブラケット２４と一体形成される。
【００２０】
また、図２が示すように、トランク天板９の下側、すなわち、トランク７の上側から見てトランク天板９の裏面には、左右扉の戸当たり部となる扉受けブラケット２２が設けられる。
【００２１】
トランク７の要部の組み立て方法について、図３〜７を用いて説明する。なお、図３，４，６，７は、この順で組み立て方法の流れを示す。
【００２２】
まず、図３はトランクの背面側板の組み立てステップを示す。図３に示すように、２枚のトランク背面側板１０ａ，１０ｂがボルト１５ａとナット１５ｂによって接合される。本実施形態において、トランク背面側板１０ａ，１０ｂは、鋼板を成形することにより構成される。トランク背面側板１０ａ，１０ｂの意匠面を同じ方向に向けて、両者の縁部どうしがボルト１５ａおよびナット１５ｂによって締結される。これらボルト１５ａおよびナット１５ｂは、トランク内に露出する意匠面の裏面側で締結される。従って、ボルト１５ａおよびナット１５ｂは、トランク内には露出しない。なお、トランク背面側板１０ａ，１０ｂは乗りかご床上に搬入できるので、本組立作業は、乗りかご床１４の上またはトランク床１４の上で行なうことができる。
【００２３】
図４は、トランクの全側板すなわち三方側板の組み立てステップを示す。図４に示すように、互いに接合された２枚のトランク背面側板１０ａおよび１０ｂからなるトランク背面側板１０に、トランク側面側板８ａ，８ｂをボルト１５ａとナット１５ｂで接合し、三方側板を組み立てる。ここで、トランク側面側板８ａ，８ｂは、トランク背面側板１０ａ，１０ｂと同様に、鋼板を成形することにより構成される。そして、トランク背面側板１０のトランク背面側板１０ａ側の縁部とトランク側面側板８ａの縁部がボルト１５ａおよびナット１５ｂによって締結されると共に、トランク背面側板１０のトランク背面側板１０ｂ側の縁部とトランク側面側板８ｂの縁部がボルト１５ａおよびナット１５ｂによって締結される。この時、トランク背面側板１０およびトランク側面側板８ａ，８ｂは、各側板の意匠面が、トランク床１６の内側、すなわちトランク７内部となる空間を向くように、互いに接合される。
【００２４】
図４に示すボルト１５ａおよびナット１５ｂも、図３に示すものと同様に、トランク内には露出しない。さらに、各側板の下部には、次ステップ（図６）において三方側板をトランク床１６に取り付けるために用いられる埋め込みナット１５ｃが固定される。また、各側板の上部には、図７のステップで、トランク天板（図７の符号９）を取り付けるために用いられる埋め込みナット１５ｃが固定される。三方側板の下部および上部に固定される埋め込みナット１５ｃは、それぞれ図６および図７のステップにおいて固定されても良い。
【００２５】
なお、トランク側面側板８ａ，８ｂも、トランク背面側板１０ａ，１０ｂと同様に乗りかご床１４の上に搬入できるので、図４のステップの組み立て作業は、図３のステップと同様に、乗りかご床１４の上あるいはトランク床１６の上で行われる。
【００２６】
図５は、次図６のステップで三方側板が取り付けられるトランク床の概略図を示す。トランク床１６の周縁部には、図４のステップで組み立てられる三方側板を取り付けるためのフレーム１７ａ，１７ｂ，１７ｃが設けられる。各フレームはコの字形に成型される。このため、各フレーム、例えばフレーム１７ｂは、トランク床１６の床面上すなわち荷物搭載面上において同面の縁に沿って固定された状態において、側面１７１，側面１７１に対してトランク床１６の内側に向かって直角に折り曲げられた上面１７２および下面１７３を備えている。
【００２７】
図５に示すように、各フレームの下面１７３がトランク床１６の床面上に固定される。また、各フレームの上面１７２には、次ステップ（図６）において三方側板を取り付けるために用いられるボルト（図６の符号１５ａ）を挿通する孔１５ｄが設けられる。なお、トランク床１６は、乗りかご床１４の組み立て作業の際に、乗りかご床１４に並設される。また、フレームの取り付けは、次図６のステップ前の任意の時点で行なうことができる。例えば、乗りかご床１４の組み立て作業時に、トランク床を並設した後にフレームを取り付けても良いし、予めフレームを取り付けたトランク床を並設しても良い。あるいは、図３または図４のステップの前後あるいはこれらのステップと同時に、乗りかご床１４上に乗った作業者によって、トランク床にフレームが取り付けられても良い。
【００２８】
図６は、トランク床への三方側板の取り付けステップを示す。なお、図６においては、図面が煩雑にならないように、図５に示したフレーム１７ｃおよびその取付け部などは図示を省略している（図７も同様である）。
【００２９】
図６に示すように、図４のステップにおいて組み立てられたトランク７の三方側板が、トランク床１６の周縁に設置されたコの字型フレーム１７ａ，１７ｂ，１７ｃの上に載置される。なお、上述したように三方側板は乗りかご床１４上で組み立てられるので、図６のステップにおける載置作業は引き続き乗りかご床上またはトランク床上で行われる。
【００３０】
さらに、図６に示すように、フレーム１７ａ，１７ｂ，１７ｃの各上面に設けられた孔１５ｄにボルト１５ａをフレーム上面の下側から挿通し、ボルト１５ａを三方側板の下部において孔１５ｄに対向する位置に設けられた埋め込みナット１５ｃに螺合し、ボルト１５ａと埋め込みナット１５ｃが締結される。これにより、トランク床１６にトランクの三方側板が接合される。ここで、ボルト１５ａは、コの字をなすフレームの上下面及び側面で囲まれる空間内、すなわちトランク内の空間の一部となるコの字内の空間内から、孔１５ｄに挿通され、埋め込みナット１５ｃに螺合される。この空間内に、作業者が乗りかご側から手および工具を差し入れることができるので、作業者は乗りかご床上あるいはトランク床上に乗ってボルト締結作業を行うことができる。
【００３１】
なお、このようなボルト締結作業を容易にするために、本実施形態において、各フレームの上下面の距離は、ボルト１５ａの長さより大きな寸法に設定される。
【００３２】
図７は、三方側板へのトランク天板取付けステップを示す。図７に示すように、トランク天板９をトランク７の三方側板の上に載置する。本実施形態において、トランク板９は、鋼板をリップ型に成形することによって構成される。すなわち、トランク天板９は、載置状態において、トランク７の天井となる上面９１，上面９１の縁部において直角方向に折り曲げられる側面９２，側面９２の縁部から上面９１内へ向かって直角方向に折れ曲がる下面９３を有する。図示されていないが、下面９３には、三方側板の上部に設けられた埋め込みナット１５ｃに対向する位置にボルト挿通用の孔が設けられる。トランク天板９は乗りかご床１４上へ搬入できるので、本載置作業は乗りかご床上またはトランク床上で行われる。
【００３３】
次に、図７に示すように、ボルト１５ａが、トランク天板９の下面に設けられたボルト挿通用の孔１５ｄにトランク天板９の下面９３の上側から挿通され、三方側板の上部においてこの孔１５ｄに対向する位置に設けられた埋め込みナット１５ｃに螺合され、ボルト１５ａと埋め込みナット１５ｃが締結される。これにより、三方側板にトランク天板９が接合される。ここで、ボルト１５ａは、トランク天板９の縁部においてリップ形状をなすトランク天板の上下面及び側面で囲まれる空間内、すなわちトランク内の空間の一部となるリップ部内の空間内から、孔１５ｄに挿通され、埋め込みナット１５ｃに螺合される。この空間内に、作業者が乗りかご側から手および工具を差し入れることができるので、作業者は乗りかご床上あるいはトランク床上に乗ってボルト締結作業を行うことができる。なお、本作業を容易にするために、本実施形態において、リップ部の上下面の距離は、ボルト１５ａの長さより大きな寸法に設定される。
【００３４】
上述したように、本実施形態によれば、トランクの側板および天板の組み立て及び取付け作業を、作業者が昇降路内の狭い空間内に出ることなく、乗りかご床上およびトランク床上で行うことができる。従って、作業用の足場の準備および設置が不要となると共に、トランクの組み立て作業が容易になり、トランクの組立に要する時間が低減される。
【００３５】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。さらに、実施形態の構成の一部について、他の構成の追加・削除・置き換えをすることが可能である。
【００３６】
例えば、側板に固定されたスタッドボルトなどのボルトを孔１５ｄに挿通し、コの字内およびリップ部内の空間内でナットを螺合しても良い。この場合、フレームの上下面の距離およびリップ部の上下面の距離を、空間内に位置するボルトの長さおよびナットの厚みを合わせた大きさよりも大きな寸法にすれば、ボルト締結作業が容易になる。また、リップ部を別の部材で構成し天板の縁に接合しても良い。
【符号の説明】
【００３７】
２  乗りかご
３  釣り合い錘
４  シーブ
５  転向プーリ
６  主ロープ
７  トランク
８，８ａ，８ｂ  トランク側面側板
９  トランク天板
１０，１０ａ，１０ｂ  トランク背面側板
１１ａ  左扉
１１ｂ  右扉
１４  乗りかご床
１５ａ  ボルト
１５ｂ  ナット
１５ｃ  埋め込みナット
１５ｄ  孔
１６  トランク床
１７，１７ａ，１７ｂ，１７ｃ  フレーム
１８  錠
２２  扉受けブラケット
２４  扉押さえブラケット
【図１】
2015151263.tif 000003
【図２】
2015151263.tif 000004
【図３】
2015151263.tif 000005
【図４】
2015151263.tif 000006
【図５】
2015151263.tif 000007
【図６】
2015151263.tif 000008
【図７】
2015151263.tif 000009